(57)【要約】【課題】規制部材のフックに係合させて操作レバーの操作位置を保持させる構成は、機体の振動により操作レバーがフックが外れて第二刈刃が下降するという課題がある。【解決手段】走行装置２の上側に備える機体フレーム１上に脱穀装置３を設け、該脱穀装置３の前方に搬送エレベーター１５を介して接続される刈取装置４を設け、該刈取装置４を、オーガフレーム１１に、リール１２と第一刈刃１３を有した構成とし、前記オーガフレーム１１の後方には支持機構２１を介して機体フレーム１に支持された第二刈刃２０を設け、第二刈刃２０には第二刈刃２０を所定高さに保持する保持機構３０を設け、前後に操作することで前記保持機構３０による第二刈刃２０の保持高さを変更する操作レバー４０を設け、操作レバー４０の左右移動を規制する左右の規制溝４９を有する規制部材４１を設け、規制部材４１の左右の起立板部４８間に渡しかけるストッパ４２を設けたコンバイン。【選択図】図２
2017079643.tif 000002
【特許請求の範囲】
【請求項１】
走行装置（２）の上側に備える機体フレーム（１）上に脱穀装置（３）を設け、該脱穀装置（３）の前方に搬送エレベーター（１５）を介して接続される刈取装置（４）を設け、該刈取装置（４）を、オーガフレーム（１１）に、リール（１２）と第一刈刃（１３）を有した構成とし、前記オーガフレーム（１１）の後方には支持機構（２１）を介して機体フレーム（１）に支持された第二刈刃（２０）を設け、第二刈刃（２０）には第二刈刃（２０）を所定高さに保持する保持機構（３０）を設け、前後に操作することで、前記保持機構（３０）による第二刈刃（２０）の保持高さを変更する操作レバー（４０）を設け、操作レバー（４０）の左右移動を規制する左右の規制溝（４９）を有する規制部材（４１）を設け、規制部材（４１）の左右の起立板部（４８）間に渡しかけるストッパ（４２）を設けたコンバイン。
【請求項２】
請求項１記載の発明において、ストッパ（４２）は棒状部材により、径方向の幅が狭い幅狭部（５０）と径方向の幅が広い幅広部（５１）とを有して形成し、前記規制溝（４９）の入口側は、溝幅を前記幅狭部（５０）と略同幅か、前記幅広部（５１）よりも狭い幅の上側溝部（５２）に形成すると共に、前記上側溝部（５２）の下方に前記幅広部（５１）より幅広の下側溝部（５３）を形成したコンバイン。
【請求項３】
請求項１または請求項２記載の発明において、ストッパ（４２）の左右両端部に、ストッパ（４２）が規制部材（４１）に対して左右に移動することを規制するストッパ規制部材（６０）を設けたコンバイン。
【発明の詳細な説明】
【技術分野】
【０００１】
本発明は、コンバインに係るものである。
【背景技術】
【０００２】
従来、刈取装置のオーガフレームの後方に第二刈刃を設け、第二刈刃は、その保持高さを操作レバーにより変更自在に構成すると共に、規制部材のフックに係合させて操作レバーの操作位置を保持させる構成は、公知である（特許文献１）。
【先行技術文献】
【特許文献】
【０００３】
【特許文献１】特開平６−３８６０８号公報
【発明の概要】
【発明が解決しようとする課題】
【０００４】
前記公知例は、フックに操作レバーを係合させる構成のため、機体の振動により操作レバーがフックが外れて、第二刈刃２０が下降するという課題がある。
本願は、第二刈刃の保持機構および操作機構を工夫し、第二刈刃の下降を防止したものである。
【課題を解決するための手段】
【０００５】
請求項１記載の発明は、走行装置２の上側に備える機体フレーム１上に脱穀装置３を設け、該脱穀装置３の前方に搬送エレベーター１５を介して接続される刈取装置４を設け、該刈取装置４を、オーガフレーム１１に、リール１２と第一刈刃１３を有した構成とし、前記オーガフレーム１１の後方には支持機構２１を介して機体フレーム１に支持された第二刈刃２０を設け、第二刈刃２０には第二刈刃２０を所定高さに保持する保持機構３０を設け、前後に操作することで、前記保持機構３０による第二刈刃２０の保持高さを変更する操作レバー４０を設け、操作レバー４０の左右移動を規制する左右の規制溝４９を有する規制部材４１を設け、規制部材４１の左右の起立板部４８間に渡しかけるストッパ４２を設けたコンバインとしたものであり、規制部材４１のガイド孔４７を操作レバー４０が前後に移動操作すると、保持機構３０による第二刈刃２０の保持高さを変更し、この状態で、規制部材４１の規制溝４９にストッパ４２を係合させると、操作レバー４０の操作位置を固定する。
請求項２記載の発明は、ストッパ４２は棒状部材により、径方向の幅が狭い幅狭部５０と径方向の幅が広い幅広部５１とを有して形成し、前記規制溝４９の入口側は、溝幅を前記幅狭部５０と略同幅か、前記幅広部５１よりも狭い幅の上側溝部５２に形成すると共に、前記上側溝部５２の下方に前記幅広部５１より幅広の下側溝部５３を形成したコンバインとしたものであり、ストッパ４２の幅狭部５０を規制部材４１の規制溝４９の上側溝部５２に合わせると、ストッパ４２の幅狭部５０は規制溝４９内を落下して上側溝部５２を通過し、ストッパ４２の幅広部５１より幅広の下側溝部５３内に落下する。
請求項３記載の発明は、ストッパ４２の左右両端部に、ストッパ４２が規制部材４１に対して左右に移動することを規制するストッパ規制部材６０を設けたコンバインとしたものであり、ストッパ４２が規制部材４１の規制溝４９に係合すると、ストッパ４２の左右両端のストッパ規制部材６０が規制部材４１の左右外面の外側に位置し、ストッパ４２の左右移動を規制する。
【発明の効果】
【０００６】
請求項１記載の発明では、操作レバー４０を前後移動操作後に、規制部材４１の規制溝４９にストッパ４２を係合させるので、ストッパ４２が操作レバー４０の操作位置を固定し、これにより、第二刈刃２０が不用意に下降するのを防止できる。
請求項２記載の発明では、規制部材４１の規制溝４９に、ストッパ４２を係合させるときは、上側溝部５２から簡単に挿入できるが、下側溝部５３にストッパ４２が落ちると、カット面５４と上側溝部５２との位相がずれて自然には規制溝４９の上側溝部５２内を上動しないので、ストッパ４２は人為的操作なくして、規制部材４１から外れることを抑制でき、ストッパ４２の脱落を防止することによって操作レバー４０が移動して生じる第二刈刃２０の不用意な下降を防止できる。
請求項３記載の発明では、ストッパ規制部材６０はストッパ４２の横方向からの脱落を防止でき、それゆえ、操作レバー４０が移動して生じる第二刈刃２０の不用意な下降を防止できる。
【図面の簡単な説明】
【０００７】
【図１】コンバインの側面図。
【図２】刈取装置および第二刈刃の側面図。
【図３】第二刈刃の保持機構付近の側面図。
【図４】刈取装置および第二刈刃の展開状態の平面図。
【図５】第二刈刃支持機構の正面図。
【図６】操作レバーの規制部材の平面図。
【図７】同側面図。
【図８】ストッパの断面図および背面図。
【図９】規制部材の規制溝の拡大側面図。
【図１０】分草装置の斜視図。
【図１１】同平面図。
【発明を実施するための形態】
【０００８】
本発明の一実施形態を図面により説明すると、１は刈り取った圃場の穀稈を投入して脱穀する所謂汎用コンバインの機体フレーム、２は機体フレーム１の下方に設けた走行装置、３は機体フレーム１の上方に設けた脱穀装置、４は刈取装置、５はグレンタンク、６は操縦部である。
刈取装置４は、側板とオーガ１０の下方に位置する底板と後板により構成したオーガフレーム１１に、リール１２と、第一刈刃１３を設けて構成する。
オーガフレーム１１には搬送エレベーター１５の先端を取付け、搬送エレベーター１５の基部は脱穀装置３の脱穀室に接続する。前記オーガフレーム１１は前記操縦部６のすぐ前方に位置させ、前記搬送エレベーター１５は前記操縦部６の側部に位置させる。
また、刈取装置４は、搬送エレベーター１５と共に、刈取上下シリンダ（図示省略）により搬送エレベーター１５の基部側を回動中心にして上下するように構成している。
【０００９】
前記オーガフレーム１１の後方には第二刈刃２０を設ける。第二刈刃２０は、支持機構（第二刈刃支持機構）２１により取付ける。第二刈刃支持機構２１は複数の縦方向の縦支持フレーム２２の下部に第二刈刃２０を取付けた横方向の刈刃フレーム２３を取付ける。
２６は縦支持フレーム２２のボス部、２７は機体フレーム１の取付部である（図４）。
前記複数の縦支持フレーム２２のうち、左側支持フレーム２２（２２Ａ）に第二刈刃２０への伝動機構Ｄを取付ける。伝動機構Ｄの構成は、本願の要旨ではないので、詳細は省略する。
しかして、第二刈刃支持機構２１には、第二刈刃２０を所定高さに保持する保持機構（リンク機構）３０を設ける。保持機構３０は、ロッド３１の下部を前記縦支持フレーム２２に軸３２により回動自在に取付ける。ロッド３１の上部は支持軸３３に設けた挿通孔（図示省略）に上下摺動自在に挿入する（図３）。
【００１０】
ロッド３１の上端には上側カラー３６を固定し、支持軸３３より上方部分のロッド３１には下側カラー３７を上下摺動自在に取付ける。上側カラー３６と下側カラー３７の間のロッド３１にはスプリング３９を挿入する。
スプリング３９は常時伸長して下側カラー３７を押し下げてロッド３１を常時上方に位置するように付勢する。
したがって、保持機構３０はロッド３１とスプリング３９により第二刈刃２０を自重で所定高さ位置に保持し、第二刈刃２０が下方から突き上げられると、ロッド３１の支持軸３３に対する上動は許容されて、第二刈刃２０が上動する（図２、図３では、設計上のロッド３１が上動した状態で図示しているが、これにより、本発明の構成が限定されることはない。）。
なお、上側カラー３６はロッド３１の上端に上下動自在に螺合させ、上側カラー３６の位置をロッド３１に対して上下させることにより、第二刈刃２０の高さ位置を調節可能にすると、作業を容易にできて、好適である。
【００１１】
前後に操作することで、第二刈刃２０の保持高さを変更する操作レバー４０を設ける。操作レバー４０の左右移動を規制する規制部材４１を設ける（図３、図６、図７）。
規制部材４１には操作レバー４０の回動を停止させるストッパ４２を設ける。ストッパ４２の前後位置を変更可能に構成する。
そのため、操作レバー４０がストッパ４２から離脱して第二刈刃２０が下降するのを防止する。
前記操作レバー４０は、その下部をアーム４３の後部に一体状に固定し、アーム４３の前後中間部を取付軸４４により搬送エレベーター１５の右側板４５に回動自在に取付け、アーム４３の前部に前記保持機構３０のロッド３１の支持軸３３を回転のみ自在に取付ける（図３）。
そのため、操作レバー４０は後方に引くと、アーム４３が支持軸３３を上方に牽引して支持軸３３を上方に位置させ、これにより、第二刈刃２０の保持高さを高位置に変更し、反対に、操作レバー４０は前方に押すと、アーム４３が支持軸３３を下方に降下させて支持軸３３を下方に位置させ、第二刈刃２０の保持高さを低位置に変更する。
【００１２】
したがって、操作レバー４０を引くと第二刈刃２０を上昇させるので、操作レバー４０の操作方向と第二刈刃２０の移動方向を一致させることができ、操作の違和感を解消して操作性を向上させられる。
また、操作レバー４０とアーム４３は一体状に固定して構成しているので、部品点数を減少させて軽量化および組立の容易化を図れ、安価にできる。
前記アーム４３は、アーム４３の後部に操作レバー４０を固定し、前後中間部を取付軸４４によるに回動支点を挟んだアーム４３の前部に前記ロッド３１の支持軸３３を取付けているので、アーム４３の作用角度が大きくなり、保持機構３０を吊り上げる吊り上げ荷重を小さくできる。
よって、各部をよりコンパクト化および軽量化でき、耐久性も向上させ、操作レバー４０の操作荷重も軽くできる。
この操作レバー４０の操作位置を前記規制部材４１と前記ストッパ４２により保持する。
規制部材４１は前後方向に操作レバー４０が移動するガイド孔４７を設けて構成している（図６）。
【００１３】
そのため、操作レバー４０は前後移動のみが可能となり、左右に抜けることがなく、所定位置に保持できるので、作業が安定すると共に、操作が楽となる。
図７のように、規制部材４１は搬送エレベーター１５の右側板４５の上部に固定する。
規制部材４１は、前記ガイド孔４７の左右両側に起立板部４８を設け、各起立板部４８には前後方向に複数の規制溝４９を夫々形成し、左右の規制溝４９に前記ストッパ４２を渡しかけるようにして係合させ、このストッパ４２により操作レバー４０の前方移動を規制し、操作レバー４０の操作位置を規制部材４１とストッパ４２により保持する。
そのため、起立板部４８の規制溝４９にストッパ４２を係合させるだけで、工具も不要で操作レバー４０の位置決めができ、操作レバー４０の位置決め操作が簡単であり、構造もシンプルで安価にできる。
前側の規制溝４９よりも前側の規制部材４１の部分には、操作レバー４０の前方移動を規制する前側プレート４９Ａを設ける（図７）。
【００１４】
操作レバー４０は、保持機構３０により吊り下げている第二刈刃２０の重量で前方に位置するように付勢されているので、前側プレート４９Ａにより低位置にて第二刈刃２０を保持し、通常の刈取作業を行う。
また、前側の規制溝４９にストッパ４２を係合させると、中間高さ位置にて第二刈刃２０を保持し、第二刈刃２０は低位置および中間位置で刈取作業の残穀稈の刈取を行う。
そして、後側の規制溝４９にストッパ４２を係合させると、高位置にて第二刈刃２０を保持し、畦越え時に第二刈刃が畦に接触するのを防止する。
後側の規制溝４９よりも後側の規制部材４１の部分には、操作レバー４０の後方移動を規制する後側プレート４９Ｂを設ける。
後側プレート４９Ｂは操作レバー４０の過剰な後方移動を規制し、第二刈刃２０が畦越え時に刈取装置４のオーガフレーム１１に接触するのを防止する。
【００１５】
ストッパ４２は棒状部材により、径方向の幅が狭い幅狭部５０と径方向の幅が広い幅広部５１とを有して形成する（図８）。前記規制溝４９の入口側（上側）は、溝幅を幅狭部５０と略同幅か、幅広部５１よりも狭い幅に形成した上側溝部５２に形成し、上側溝部５２の下方に幅広部５１より広い下側溝部５３を形成する（図９）。
そのため、振動によりストッパ４２が規制部材４１から離脱するのを防止する。
即ち、ストッパ４２は、その外径を規制溝４９の上側溝部５２の開き量より大径に形成すると共に、母線方向と平行に一部をカットしてカット面５４とすることにより前記幅狭部５０を形成している。
また、前記規制溝４９は、上部（入口側）の上側溝部５２を縦方向に形成し、上側溝部５２の下部に幅広部５１より幅広の下側溝部５３を「Ｌ」の字状に屈曲させて形成する。
そのため、規制部材４１の規制溝４９に、ストッパ４２を係合させるときは、上側溝部５２から簡単に挿入できるが、下側溝部５３に落ちると、カット面５４と上側溝部５２との位相がずれて自然には規制溝４９の上側溝部５２内を上動しない。
【００１６】
それゆえ、ストッパ４２は人為的操作なくして、規制部材４１から外れることはなく、ストッパ４２をその場で回転させるだけで、カット面５４を上側溝部５２に合わせて抜くことができる。
ストッパ４２の左右両端部に、ストッパ４２が規制部材４１に対して左右に移動することを規制するストッパ規制部材６０を設ける。
そのため、ストッパ４２が規制部材４１から離脱するのを、一層、確実に防止する。
即ち、規制部材４１の起立板部４８より外側のストッパ４２の左右両側にカラー状のストッパ規制部材６０を設けているので、ストッパ規制部材６０が起立板部４８の外面に当接して、ストッパ４２の左右移動を規制し、ストッパ４２が規制溝４９から横方向に移動して抜けるのを防止する。
【００１７】
しかして、図１０、１１は、刈取装置４のオーガフレーム１１の左右側板６５に設けた分草装置６６の実施形態を示し、側板６５にはフレーム６７の基部を固定し、フレーム６７に側板６８と天板６９により三角錐形状の分草装置６６を設けている。分草装置６６の側板６８には分草杆７０の基部を縦軸７１により縦軸回動自在に取付け、分草杆７０の中間部にはステー７２の基部を固定する。側板６８の内面には支持板７３を設け、支持板７３に前記ステー７２を位置調節自在にボルト７４により取付ける。
即ち、支持板７３とステー７２の何れか一方に長孔７５を形成し、分草杆７０の回動位置をボルト７４と長孔７５により固定し、分草装置６６の側板６８に対する分草杆７０の張出位置を調節する。
そのため、分草杆７０の張出位置を調節して、分草杆７０の穀稈に対する接触抵抗と分草作用の調和を図って、リール１２やオーガ（図示省略）への穀稈の引継を良好にする。
また、分草杆７０の基部の前側の側板６８の内面に後方に至るに従い内側方に突出する内側ガイド（図示省略）を設け、また、分草杆７０の基部の前側の側板６８の外面に後方に至るに従い外側方に突出する外側ガイド（図示省略）を設けると、分草杆７０の基部に穀稈が引っ掛かることを防止でき、好適である。
【００１８】
（実施形態の作用）
走行装置２により機体を走行させると、リール１２が回転し、未刈稈を掻き込み、掻込んだ穀稈を第一刈刃１３で刈取り、刈取った穀稈および穀粒を回転するオーガにより集めて搬送エレベーター１５内へ供給され、搬送エレベーター１５により脱穀装置３へ供給されて脱穀される。
刈取装置４のオーガフレーム１１の後方に第二刈刃２０を設けているので、前記第一刈刃１３が刈り残した残存穀稈を第二刈刃２０が刈り取る。第一刈刃１３により刈り取る穀稈長さが長いと、刈り取った穀稈を投入して脱穀する脱穀装置３の負荷を大きくするので、必要分第一刈刃１３により刈り取って脱穀装置３へ供給し、残した残存穀稈を第二刈刃２０が刈り取るのである。
第二刈刃２０は、複数の縦方向の縦支持フレーム２２の下部に第二刈刃２０を取付けた横方向の刈刃フレーム２３を取付け、複数の縦支持フレーム２２のうちの一つは刈刃フレーム２３に長さ固定状態に取付け、他の縦支持フレーム２２は長さ変更可能に刈刃フレーム２３に取付けた第二刈刃支持機構２１により支持しているので、第二刈刃２０の左右側における高さを同じにして、水平調節可能となり、美麗な刈跡にする。
【００１９】
しかして、第二刈刃支持機構２１には、第二刈刃２０を所定高さに保持する保持機構３０を設け、保持機構３０は、ロッド３１の下部を前記縦支持フレーム２２に軸３２により回動自在に取付け、ロッド３１の上部は支持軸３３に設けた挿通孔（図示省略）に上下摺動自在に挿入し、ロッド３１の上端には上側カラー３６を固定し、支持軸３３より上方部分のロッド３１には下側カラー３７を上下摺動自在に取付け、上側カラー３６と下側カラー３７の間のロッド３１にはスプリング３９を挿入し、スプリング３９は常時伸長して下側カラー３７を押し下げてロッド３１を常時下方に位置するように付勢しているので、保持機構３０はロッド３１とスプリング３９により第二刈刃２０を自重で所定高さに位置保持し、第二刈刃２０が下方から突き上げられると、ロッド３１の支持軸３３に対する上動は許容されて、第二刈刃２０が上動する。
【００２０】
前後に操作することで、第二刈刃２０の保持高さを変更する操作レバー４０を設け、操作レバー４０の左右移動を規制する左右の規制部４１を設け、左右の規制部材４１間に渡しかけるストッパ４２を設け、ストッパ４２の前後位置を変更可能に構成しているので、ストッパ４２の前後位置を変更することにより、操作レバー４０がストッパ４２から離脱して第二刈刃２０が下降するのを防止する。
操作レバー４０の下部をアーム４３の後部に一体状に固定し、アーム４３の前後中間部を取付軸４４により搬送エレベーター１５の右側板４５に回動自在に取付け、アーム４３の前部に前記保持機構３０のロッド３１の支持軸３３を回転のみ自在に取付けているので、操作レバー４０を後方に引くと、アーム４３が支持軸３３を上方に牽引して支持軸３３を上方に位置させ、これより、第二刈刃２０の保持高さを高位置に変更し、反対に、操作レバー４０は前方に押すと、アーム４３が支持軸３３を下方に降下させて支持軸３３を下方に位置させ、第二刈刃２０の保持高さを低位置に変更する。
【００２１】
このように、操作レバー４０を引くと第二刈刃２０を上昇させるので、操作レバー４０の操作方向と第二刈刃２０の移動方向を一致させることができ、操作の違和感を解消して操作性を向上させられる。
また、操作レバー４０とアーム４３は一体状に固定して構成しているので、部品点数を減少させて軽量化および組立の容易化を図れ、安価にできる。
アーム４３の後部に操作レバー４０の下部を固定し、アーム４３の前後中間の取付軸４４の回動支点を挟んだアーム４３の前部にロッド３１の支持軸３３を取付けているので、アーム４３の作用角度が大きくなり、保持機構３０を吊り上げる吊り上げ荷重を小さくでき、それゆえ、各部をよりコンパクト化および軽量化でき、耐久性も向上させ、操作レバー４０の操作荷重も軽くできる。
この操作レバー４０の操作位置を規制部材４１とストッパ４２により保持する構成とし、規制部材４１は前後方向に操作レバー４０が移動するガイド孔４７を設けて構成しているので、操作レバー４０は前後移動のみが可能となり、左右に抜けることがなく、所定位置に保持できるので、作業が安定すると共に、操作が楽となる。
【００２２】
規制部材４１はガイド孔４７の左右両側に起立板部４８を設け、各起立板部４８に前後方向に複数の規制溝４９を形成し、規制溝４９にストッパ４２を係合させるので、ストッパ４２は操作レバー４０の移動方向となるガイド孔４７に対して交差方向に位置して、操作レバー４０の前方移動を規制し、操作レバー４０の操作位置を規制部材４１とストッパ４２により保持する。
そのため、起立板部４８の規制溝４９にストッパ４２を係合させるだけで、工具も不要で操作レバー４０の位置決めができ、操作レバー４０の位置決め操作が簡単であり、構造もシンプルで安価にできる。
ストッパ４２は棒状部材により、径方向の幅が狭い幅狭部５０と径方向の幅が広い幅広部５１とを有して形成し、前記規制溝４９の入口側（上側）は、溝幅を幅狭部５０と略同幅か、幅広部５１よりも狭い幅に形成しているので、振動によりストッパ４２が規制部材４１から離脱するのを防止する。
【００２３】
即ち、ストッパ４２は棒状部材は、その外径を規制溝４９の上側溝部５２の開き量より大径に形成すると共に、母線方向と平行に一部をカットしてカット面５４とすることにより前記幅狭部５０を形成しており、前記規制溝４９は、上部（入口側）の上側溝部５２を縦方向に形成し、上側溝部５２の下部に幅広部５１を「Ｌ」の字状に屈曲させて形成しているので、規制部材４１の規制溝４９に、ストッパ４２を係合させるときは、上側溝部５２から簡単に挿入できるが、下側溝部５３に落ちると、カット面５４と上側溝部５２との位相がずれて自然には規制溝４９の上側溝部５２内を上動しない。
それゆえ、ストッパ４２は人為的操作なくして、規制部材４１から外れることはなく、ストッパ４２をその場で回転させるだけで、カット面５４を上側溝部５２に合わせて抜くことができる。
【００２４】
ストッパ４２の左右両端部に、ストッパ４２が規制部材４１に対して左右に移動することを規制するストッパ規制部材６０を設けているので、ストッパ４２が規制部材４１から離脱するのを、一層、確実に防止する。
即ち、規制部材４１の起立板部４８より外側のストッパ４２の左右両側にカラー状のストッパ規制部材６０を設けているので、ストッパ規制部材６０が起立板部４８の外面に当接して、ストッパ４２の左右移動を規制し、ストッパ４２が規制溝４９から横方向に移動して抜けるのを防止する。
なお、前記した各実施形態は、理解を容易にするために、個別または混在させて図示および説明しているが、これらの実施形態は夫々種々組合せ可能であり、これらの表現によって、構成・作用等が限定されるものではなく、また、相乗効果を奏する場合も勿論存在する。
【符号の説明】
【００２５】
１…フレーム、２…走行装置、３…脱穀装置、４…刈取装置、５…グレンタンク、６…操縦部、１０…オーガ、１１…オーガフレーム、１２…リール、１３…第一刈刃、１５…搬送エレベーター、２０…第二刈刃、２１…支持機構（第二刈刃支持機構）、２２…縦支持フレーム、２３…刈刃フレーム、２４…ボルト、２５…長孔、２６…ボス、２７…取付部、３０…保持機構、３１…ロッド、３２…軸、３３…支持軸、３５…右側側板、３６…上側カラー、３７…下側カラー、３９…スプリング、４０…操作レバー、４１…規制部材、４２…ストッパ、４３…アーム、４４…取付軸、４５…右側板、４７…ガイド孔、４８…起立板部、４９…規制溝、５０…幅狭部、５１…幅広部、５２…上側溝部、５３…下側溝部、５４…カット面、６０…ストッパ規制部材、６５…側板、６６…分草装置、６７…フレーム、６８…側板、６９…天板、７０…分草杆、７１…縦軸、７２…ステー、７３…支持板、７４…ボルト、７５…長孔。
【図１】
2017079643.tif 000003
【図２】
2017079643.tif 000004
【図３】
2017079643.tif 000005
【図４】
2017079643.tif 000006
【図５】
2017079643.tif 000007
【図６】
2017079643.tif 000008
【図７】
2017079643.tif 000009
【図８】
2017079643.tif 000010
【図９】
2017079643.tif 000011
【図１０】
2017079643.tif 000012
【図１１】
2017079643.tif 000013